(57)【要約】【課題】書類、商品等が倒れて傷むのを防ぎ、又ワンタッチで開拡自在な書籍等の転倒防止スペーサを提供することを目的とする。【解決手段】略長方形の枠状に形成された二つの枠をブロック（４）を備えたＸ字状フレーム（４１）で交差した状態に結合させ、前記二つの枠が交差した支点（３）を軸に水平方向に開閉して任意の角度で止まり、垂直に自立できるように支点（３）に弾性ワッシャ（３３）を介して構成する。ブロック（４）は左右にそれぞれ４箇所対称位置で設けられ、ブロックは異なる曲率の湾曲面を少なくとも複数面を有し、各湾曲面は凸部で分けられている。【選択図】図１
2007319357.tif 000002
【特許請求の範囲】
【請求項１】
差込孔（２０）を備えたブロック（４）を中心から両側に延設したフレーム部品（４０ａ）と、差込孔（２０）を備えたブロック（４）を中心から両側に延設したフレーム部品（４０ｂ）とを、それらの中心を支点（３）として交差組み合わせてX字状フレーム（４１）とし、X字状フレーム（４１）を左右に配置して、その左右のX字状フレーム（４１）を形成するブロック（４）の差込孔（２０）にコの字枠（２）を組込んで連結橋架して略長方形の枠（２２）を２つ作り、側面視でX字状に組合わせ、前記各ブロック（４）は左右にそれぞれ４箇所対称位置で設けられ、前記各ブロック（４）は外側面に２箇所、内側面に２箇所の異なる曲率の指当て湾曲面（４２）（４３）（４４）（４５）を形成したもので、各湾曲面は凸部（４６）（４７）で分けられ、前記支点（３）は弾性ワッシャ（３３）を挟着してボルトナットで締結して調整自在にして、前記コの字枠（２）の上方バーに滑り止め（５）を設け、前記支点（３）を軸に開閉して任意の角度で止まり、全体の幅を任意の幅にすることができかつ垂直に自立できるようにしたことを特徴とする書籍等の転倒防止スペーサ。
【請求項２】
前記ブロック（４）は、先端に差込孔（２０）を備え、前記各湾曲面（４２）（４３）（４４）（４５）は内外側面の４箇所にそれぞれ異なる湾曲で形成された指幅以上の面をもつ湾曲面（４２）（４３）（４４）（４５）であり、その内外側面には中途に凸部（４６）（４７）を設けて、前記湾曲面（４２）は斜め下方向に力が働く角度を持った湾曲面に形成してその左右湾曲面（４２）（４２）を同時に押すことにより前記X字状フレーム（４１）の交差角度を容易に拡大設定できるようにしたことを特徴とする請求項１に記載した書籍等の転倒防止スペーサ。
【請求項３】
前記ブロック（４）は、内側の湾曲面（４２）は、Ｒ１０ｍｍの湾曲であり、続いて凸部（４６）があり、外側の湾曲面（４４）はＲ３０ｍｍの湾曲であり続いて凸部があることを特徴とする請求項１〜請求項２のいずれかに記載の書籍等の転倒防止スペーサ。
【請求項４】
前記差込孔（２０）を備えたブロック（４）を中心から両側に延設したフレーム部品（４０ａ）は、中心に支点（３）の軸となるボルト（３１）の貫通孔（３２）を設けたボルトヘッドの収納空間を有する円筒部（３５）を設け、一方に弾性ワッシャ（３３）を挟む浅い円形凹部（３４）を形成するとともに他のフレーム部品（４０ｂ）の円筒部（３５）を軸として外嵌収納するような空間と軸受兼用支持突起（３６）（３７）を設けたもので、このフレーム部品（４０ａ）とフレーム部品（（４０ｂ）は同形であり両方を対照的に組み合わせてＸ字状のフレーム（４１）とし、弾性ワッシャ（３３）を挟着してボルトナットで連結したことを特徴とする請求項１〜請求項３のいずれかに記載した書籍等の転倒防止スペーサ。
【請求項５】
前記コの字枠（２）の上方バーに装填する滑り止め（５）は、コの字枠（２）に嵌合した１以上の合成樹脂管であることを特徴とする請求項１〜請求項４のいずれかに記載した書籍等の転倒防止スペーサ。
【発明の詳細な説明】
【技術分野】
【０００１】
本発明は、商品や書籍等の転倒防止スペーサに関するものである。
【背景技術】
【０００２】
書棚または陳列棚に立てて置かれている書籍、カタログ、コンパクトディスク、食料品等の物品の転倒を防ぐために、垂直に自立できかつ書籍等の間に生じるスペースに合わせてそのスペースを維持する折畳み可能な書籍等の転倒防止スペーサに関して、本件発明者は、特許第３６４０９５６号「書籍・商品等の転倒防止スペーサ」を開発している。
【０００３】
特許第３６４０９５６号「書籍・商品等の転倒防止スペーサ」は、図１０に示すように、書籍等の間に生じるスペースに合わせてそのスペースをワンタッチで作り出すことができる指当て用のブロックを枠に設けたものである。
【０００４】
本件出願人が先に提案した特許第３６４０９５６号は、図１０で説明すると、略長方形に形成された二つの枠（２）（２）を正面視で略「Ｘ」字状に交差した状態に形成し、前記二つの枠（２）（２）は交差する箇所に設けた支点（３）を軸に水平方向に開閉して任意の角度で止まり、垂直に自立できるように構成し、前記略長方形に形成された二つの枠（２）（２）の正面に位置する枠（２）（２）の縦辺の上方には、前記支点（３）を中心としてそれぞれ対向する対称位置にブロック（４）（４）が装着され、前記ブロック（４）（４）を指でその上面を下方向または水平方向に押すことにより前記二つの枠（２）（２）の交差角度を容易に拡大設定できるようにした書籍・商品等の転倒防止スペーサである。
【０００５】
そして、前記ブロック（４）（４）は、指幅の面をもつ略三角形であり、その上面は斜め下方向に力が働く角度を持った傾斜面に形成していることを特徴としている。
【０００６】
【特許文献１】特許第３６４０９５６号
【発明の開示】
【発明が解決しようとする課題】
【０００７】
本件発明は、その特許第３６４０９５６号をさらに改良したものであり、解決しようとする課題は、第一に書棚または陳列棚にできた隙間Sを任意に埋められるようにして、書類、商品等が倒れて傷むのを防ぐ本立でありかつ開閉幅が調節できるスペーサを提供することが基本的目的であり、第二にその隙間Sに入るスペーサの幅をワンタッチで変更創出できることである。
第三にそのスペーサの幅の変更創出を上下左右から簡単に変更でき且つ一旦定まったときはその幅でしっかり書籍を支持できる安定性を支点の構造にもたすことである。
第四に変更創出の手がかりとなるブロックを、人間工学的により使い勝手がよい機能性のある構成することであり、支点やブロックを一体的に構造することである。従来のものは、枠にブロックを付設している。
第五に指当て用のブロックを片側で４箇所、左右で計８箇所に設けるが、その場合、製造的に価格的に有利なようにすることである。
第六に、本の転倒を防止することの重要な要素に、スペーサ自体の安定性のほかに、スペーサと本との接触性が重要であり、この課題に対応することである。
【課題を解決するための手段】
【０００８】
第一の課題に対しては、側面視でX字状に支点を軸に安定して開閉する構造にして本と本との隙間Sの幅に対応できる自立型として書籍転倒を防止することとした。
第二の課題に対しては、ブロック自体がX字状フレームを形成する構造とし、各ブロックの側面に適切に指で押すことができる曲率の異なる湾曲面を設けてX字状の開脚幅を変更自在にすることができるようにした。
第三の課題に対しては、４側面に指が掛かる特異の湾曲面を持つ形態のブロックでX字状フレームを形成し、そのブロックがX字の４つの枝である４箇所(左右では８箇所)に配置するようにした。
ブロックは４箇所とも同じ構造形態である。
そして支点の構造を改良して開きやすく且つ開いた状態を自己維持できる構造とした。
第四の課題に対しては、ブロックが支点を構成していて、これに枠が取り付けられるようにし、ブロックは脱落することがなく、４側面に指が掛かる特異の湾曲面を持つ形態のブロックの各曲面と長さを工夫して、指からの力をロス無く開閉の力に伝達して使用しやすくした。
湾曲面の終わりに凸部の形成によって、指当てを確実にできた。
第五の課題に対しては、４箇所のブロックがすべて同一形状同一構成になるような構造として、型の製作や組み立ての経済性を達成した。
第六の課題に対しては、スペーサの上部のバーに書籍の上方が接触するように滑り止めを設けた。
【０００９】
本発明は、本箱や商品棚、書棚等に生じる書籍と書籍の隙間Sに書籍が倒れないように配置されるもので、X字状フレームを左右に配置して、その左右のX字状フレームを形成するブロックの差込孔にコの字枠を組み込んで連結して略長方形の枠を２つ作り、側面視でX字状に組み合わせ、前記各ブロックは左右にそれぞれ４箇所対称位置で設けられ、前記各ブロックは外側面に２箇所、内側面に２箇所の異なる曲率の指当て湾曲面を形成したもので、各湾曲面は凸部で分けられ、前記支点は弾性ワッシャを挟着してボルトナットで締結して調整自在にして、前記コの字枠の上方バーに滑り止めを設け、前記支点を軸に水平方向に開閉して任意の角度で止まり、全体の幅を任意の幅にすることができかつ垂直に自立できるようにしたことを特徴とする書籍等の転倒防止スペーサである。
【００１０】
また、摩擦力を調整して前記二つのX字状フレームが交差する角度を自在に設定できるようにするために、前記二つのX字状フレームが交差する箇所に設けた支点は、前記X字状フレームの凹型の外枠と凸型の内枠の間にゴム円盤等の弾性ワッシャを挟み、前記X字状フレームの支点に設けた貫通孔に六角ボルトを貫通させ金属ワッシャを介在させて固定ナットにより固定する構成とした。
【００１１】
さらには、X字状フレームが交差する角度を指のみの力で容易に調整できるようにするために、前記支点を中心としてそれぞれ対向する対称位置に指幅の面をもつ内外側面の４箇所にそれぞれ異なる半径の湾曲で形成された指当てのための湾曲面を形成したブロックが取り付けられていることを特徴とする。
【発明の効果】
【００１２】
本発明に係る書籍等の転倒防止スペーサは、垂直に自立でき折畳み幅の調整がワンタッチでできる変形自在構造であり、保管または陳列する書籍、商品等の数が書棚または陳列棚の幅に満たない場合にできる隙間Sに対して、書籍等の転倒防止スペーサの幅を調整することにより任意に埋めることができる。
もちろん、書籍、商品等を常に垂直に立てた状態で陳列できるので、書籍、商品等が倒れて傷むことを防ぐことができる。
また、書籍、商品等を常に垂直に立てた状態で陳列できるので、書店、図書館、商店等において利用者が所望する書籍、商品等を容易に発見できるという利点がある。
勿論スペーサとしてではなく,ブックエンドとしても機能する。
特にスペーサの上部のバーに書籍の上方が接触するように滑り止めを設けた構成では、本がこの滑り止めに接触して支持されるため、ずり落ちて傾斜することがない。
【００１３】
さらに、摩擦力を調整することを可能にしているので、書籍等の転倒防止スペーサの幅をお年寄りから子供まで指の力のみで容易に広狭できることから、開館中・営業中または閉館後・閉店後に行う多くの書籍棚または商品棚の整理を短時間で効率よくできるという利点がある。
特に大量に多数列に陳列されているような場合において商品陳列を整然とする作業では、スペーサへのワンタッチで広狭自在に隙間Sにあった変形を行うので、その作業効率は格段に向上し、大型店舗の陳列什器備品として利用できる可能性がある。
その他、ブロックを備えたフレーム部品は、同形のものをＸ字状に組み合わせる構造としたので、型の製作や製造的にも有利である。
デザイン的にも優れ、店舗や陳列の美観も維持できる。
【発明を実施するための最良の形態】
【００１４】
本発明は、保管または陳列する書籍、商品等の数が書棚または陳列棚の幅に満たない場合にできる隙間Sを適宜に埋めて、書籍、商品等が転倒して傷むのを防止するという目的を、組み立て・分解する必要のない構造で実現した。
以下、本発明の実施の一形態を添付図面に基づいて説明する。
【実施例】
【００１５】
図１〜図９は、本発明に係る書籍等の転倒防止スペーサの実施例を示している。
なお、図１０は、前記のように本件出願人及び発明者による従来の転倒防止スペーサを示す特許第３６４０９５６号の説明図である。
【００１６】
図１は、本発明に係る書籍等の転倒防止スペーサの実施例を書棚に設置した状態の正面図である。
図１〜図９に基づいて説明すると、全体は、本箱等に設置した状態を正面視するとX状で、自立し、折り畳みできるスペーサ（１）である。
【００１７】
全体構成は、基枠となる左右のX字状フレーム（４１）にステンレス製棒体のコの字枠（２）を差し込んで連結橋架して略長方形の枠（２２）を２つ作って組み合わせている。
X字状フレーム（４１）は、端面に深い差込孔（２０）を備えたブロック（４）を中心から両側に延設したフレーム部品（４０ａ・外側）と、その中心を支点（３）として、差込孔（２０）を備えたブロック（４）を中心から両側に延設したフレーム部品（４０ｂ・内側）を組み合わせて交差させてX字状フレーム（４１）としている。
フレーム部品（４０ａ・外側）とフレーム部品（４０ｂ・内側）とは、構造形状は同一であり、製造上はひとつのフレーム部品（４０）として作成される。
X字状フレーム（４１）＝フレーム部品（４０ａ）×フレーム部品（４０ｂ）、
フレーム部品（４０）＝｛フレーム部品（４０ａ）＝フレーム部品（４０ｂ）｝、
フレーム部品（４０）＝ブロック（４）＋支点＋ブロック（４）、
フレーム部品（４０ａ）＝ブロック（４）＋支点＋ブロック（４）、
フレーム部品（４０ｂ）＝ブロック（４）＋支点＋ブロック（４）、
の関係になる。
そのX字状フレーム（４１）を左右に配置して、その左右のX字状フレーム（４１）を形成するブロック（４）の差込孔（２０）にコの字枠（２）を組み込んで連結橋架して略長方形の枠（２２）を２つ作り、側面視でX字状に組み合わせていることになる。
【００１８】
前記各ブロック（４）は、図１、図２、図４、図５、図７〜図９に示すように、全体はJのように少し湾曲しており、外側面に２箇所、内側面に２箇所の指当て湾曲面（４２）（４３）（４４）（４５）を形成したもので、各湾曲面（４２）（４３）（４４）（４５）はそれぞれ異なる曲率で形成されている。
前記各ブロック（４）は左右にそれぞれ４箇所対称位置で設けられる。
湾曲面は少なくとも直線的な面ではなく、湾曲した複数面が形成される。
各湾曲面は凸部（４６）（４７）で分けられている特徴がある。
【００１９】
各ブロック（４）は、先端に深い差込孔（２０）を備え、内外側面の４箇所にそれぞれ異なる半径の湾曲で形成された指幅以上の面をもつ湾曲面（４２）（４３）（４４）（４５）を形成したものであり、その内外側面には中途に凸部（４６）（４７）を設けて、前記湾曲面（４２）は斜め下方向に力が働く角度を持った湾曲面に形成してその左右湾曲面（４２）（４２）を同時に押すことにより前記X字状フレーム（４１）の交差角度を容易に拡大設定できるようにしている。
前記ブロック（４）の内側の湾曲面（４２）は、Ｒ１０ｍｍの湾曲であり、続いて凸部（４６）があり、外側の湾曲面（４４）はＲ３０ｍｍの湾曲であり続いて凸部（４７）がある。
凸部（４６）（４７）の存在は、指当ての際にはその鋭角部分が滑り止めになり、押圧開拡や狭める動作に極めて有効なものである。
【００２０】
湾曲面（４３）（４５）は、中間に平坦な部分を有するゆるい湾曲である。
実施例では湾曲面（４３）はＲ１８ｍｍ、湾曲面（４５）は端のほうをＲ１８ｍｍとする湾曲面として中間に平坦面を設けたものである。
湾曲面は、指先が掛かり易い形状であり、図８における矢印AAを同時に一対で押すことにより容易に開拡し、矢印BBや矢印CCを押すことで閉じ、またAのみを押しても容易に開拡できる。
閉じる場合は、湾曲面（４４）（４５）やコの字状枠（２）に指先をかければ容易に閉じることができるし、開くときは湾曲面（４２）や湾曲面（４３）を開くように押せば容易に開く。
【００２１】
X字状フレーム（４１）の前記支点（３）は、孔付ゴム円盤である弾性ワッシャ（３３）を挟着してボルトナット（３１）とナット（３１１）で締結して調整自在にして、前記支点（３）を軸に水平方向に開閉して任意の角度で止まり、全体の幅を任意の幅にすることができかつ垂直に自立できるようにしている。
【００２２】
図３は、支点（３）の部分断面図である。
ブロック（４）を中心から両側に延設したフレーム部品（４０ａ）（４０ｂ）は、中間に側面から見て半分の幅で円筒部（３５）を設け、支点（３）の軸となるボルト（３１）の貫通孔（３２）を設け、その円筒部（３５）の一面に孔付ゴム円盤等の弾性ワッシャ（３３）を挟む浅い円形凹部（３４）を形成している。
円筒部（３５）は、ボルトヘッド或いはナットの収納空間を有する。
円筒部（３５）の反対側は前記円筒部（３５）外周を軸として外嵌収納するような空間と軸受兼用支持突起（３６）（３７）を設けている。
フレーム部品（４０ａ）とフレーム部品（（４０ｂ）は、合成樹脂製であり、二つの型から成型した部品で組み立てられている。
フレーム部品（４０ａ）とフレーム部品（（４０ｂ）は、両者は同形であり両方を対照的に組み合わせてＸ字状のフレーム（４１）とし、弾性ワッシャ（３３）を挟着してボルト（３１）とナット（３１１）で連結した。
ボルト（３１）とナット（３１１）はそれぞれ、金属リングワッシャを介して取り付けられる。
【００２３】
支点（３）は、前記のように二つのX字状フレーム（４１）が「X」状に交差して接触する中間部である。
支点（３）は、左右のX字状フレーム（４１）の２ヶ所に設けられる。
支点（３）の具体的構造は、ブロック（４）を連結する中間箇所に円筒部（３５）を設け、中心に貫通孔（３２）を穿設して、円筒部（３５）の裏側に円形凹部（３４）を設けている。
二つのフレーム部品（４０ａ）とフレーム部品（（４０ｂ）を合わせ、両者の円形凹部（３４）間にゴム製の弾性ワッシャ（３３）を挟み嵌め合わせ、前記円形凹部（３４）中心に設けた貫通孔（３２）に外枠から内枠方向にボルト（３１）を貫通させ、内側の枠（２）の反対面の固定ナット（３１１）に螺合することで形成されている。
ボルト（３１）ナット（３１１）は円筒部（３５）の空間に収納され、円筒部（３５）にはキャップ（３５１）が装填される。
【００２４】
弾性ワッシャ（３３）は、所望の角度姿勢を一時的に維持するものであればよい。又、ボルト（３１）も支点（３）の摩擦を調整できれば、形状を限定するものではない。
実施例では、２ｍｍ厚の孔付ゴム円盤を弾性ワッシャ（３３）としているが、ゴム円盤の圧迫当接度により微妙な調整も可能である。
このような構成でボルト（３１）を緩めまたは締め付けることにより摩擦力の調整ができるので、二つの枠（２）が交差する角度を自在に設定でき、二つの枠（２）が安定して所望の角度や垂直に自立できる。
【００２５】
図１では、書棚においた本が左右にあり、中間に隙間Sが出来たときに、左右の本の間に、書籍等の転倒防止スペーサをおいて、左右の本が倒れないようにしている。
スペーサ（１）は、その開拡の幅をワンタッチで調整でき、上下の枠端部で左右の本に接触して保持する。
仮にもう１冊の本が増えて収納するときは、スペーサ（１）を狭めて、１冊の本を書棚に収納し、ついでスペーサ（１）を拡げれば、本１冊分だけ幅を狭くした状態で開拡して、かつ左右の本に接触して、左右の本の転倒を防止することになる。
なお、例えば、スペーサ（１）の右側に隙間があり、本に接触していなくてもスペーサ（１）は、自立するので、少なくともスペーサ（１）に接触する左側の本は転倒することはない。
【００２６】
実施例のスペーサ（１）は、直径３mm〜6ｍｍのステンレス製棒材をコの字状に屈折成型して作成したコの字枠（２）をX字状フレーム（４１）のブロック（４０）に差込装着して形成した略長方形の枠（２２）を二本組み合わせている。
コの字枠（２）はプラスチック、アルミ棒等を素材としてもよい。
全体の大きさは、A４版の書籍対応や、文庫本対応など適宜可能であり、コの字枠（２）の寸法を変えれば多様化はすぐ可能であり、X字状フレーム（４１）があれば、他の商品に適する大きさのものはすぐに対応できる。
【００２７】
試作では、ステンレス製棒材を略コの字型に形成し、それをX字状フレーム（４１）に差込装着し、横１００mm×縦１５０mmの略長方形を二つ組み合わせた小型枠、横１５０mm×縦１８０mmの略長方形を二つ組み合わせた中型枠、横２００mm×縦２７０mmの略長方形を二つ組み合わせた大型枠など、書籍や物品の大きさに応じて作成している。
【００２８】
このような、略長方形に形成された二つの枠（２２）を二本用いて、図１の正面視で略「Ｘ」字状に交差させ、交差する箇所に設けた支点（３）を支軸にして連結している。
正面視では、枠（２２）は折り畳んだ状態でも縦辺相互間に指先が入るような間隙を残してX字状フレーム（４１）を形成して開閉自在に交差組み合わせている。
実施例の書籍等の転倒防止スペーサ（１）は、図９の左図ように閉じた状態で１０度、右図のように最高開拡角度は９０度である。
１０度の場合の幅は略４５ｍｍ、９０度の場合は幅略１４５ｍｍである。
１個で１４５ｍｍのスペースまで維持できる設計となっている。
書籍等の転倒防止スペーサ（１）は、２個並べて使用することも出来るし、用途に応じて大きく設計することもできるので、特にスペースに制約があるわけではない。
図７のように開いた状態では、単独で上方Ｖ字空間に展示品を載せたり、上方Ｖ字空間に書籍を開いて載せて書見台として利用することも出来る。
書見台として利用する場合は、ブロック（４）の湾曲面（４３）が本底を保持する。
なお、X字状フレーム（４１）のブロック（４０）が正面視でJのように曲がっていることと、凸部（４６）と軸受兼用支持突起（３６）（３７）の存在で、図２や図８のような閉じた状態でもAAの間隙があるので、指も挟むことなく開拡のための指入れも容易にできる。
枠（２２）は、水平方向に開閉して任意の角度で止まり、全体として垂直に自立できるように、支点（３）に適切な摩擦を維持して形成されている。
【００２９】
正面視で縦辺になる二つの枠（２２）の一部であるX字状フレーム（４１）のブロック（４）には、支点（３）を中心としてそれぞれ対向する対称位置にそれぞれ異なる半径の湾曲で形成された湾曲面を一対づつ形成しているかたちとなっている。
指幅の面をもつ内外側面の４箇所にそれぞれ異なる半径の湾曲で形成された湾曲面を指で下方向または水平方向に押すことにより前記二つの枠（２２）（２２）の交差角度を容易に拡大設定できるようにしている。
【００３０】
ブロック（４）は、X字状フレーム（４１）を構成する一部である。
この内外側面の４箇所にそれぞれ異なる半径の湾曲で形成された湾曲面を矢印図８のAAのように、一対で二本の指で夫々を軽く押すことにより、二つの枠（２２）を開閉して、交差角度を書棚または商品棚にできる隙間Sに応じた任意の角度に設定できる。
【００３１】
図２は、本発明に係る書籍等の転倒防止スペーサ（１）の畳んだ状態の斜視図を示している。
前記コの字枠（２）の上方バーには滑り止め（５）を設けている。
滑り止め（５）は、コの字枠（２）にしっかり嵌合した合成樹脂管である。
１以上設けることができる。
書籍は、一冊でも、上部の滑り止め（５）に接触すると、自立安定性が高まり、左右両側面から支持しなくても、垂直に自立を維持できる。
上部の滑り止め（５）は、軽い本や、薄い本など、自立しにくい本の滑りを防止する重要な効果がある。
なお、底辺に位置する枠辺にゴム製や合成樹脂等の滑り止め（５）を装着している。この点は従来技術と同様である。
実施例の図２では、２本の滑り止め（５）を付設したものを示している。底の滑り止め（５）は主として、本体の安定のために機能する。
【００３２】
ボルト（３１）で、一旦調整すれば、書籍等の転倒防止スペーサ（１）は、自立しており、その後は指で簡単に幅を広狭自由に調整でき、その調整角度で自立する。
書籍等の転倒防止スペーサ（１）は、その左右の枠（２２）の上端辺と下端辺が、書籍や商品に対して垂直な面を作り、当接した書籍や商品を直立して維持する。
【産業上の利用可能性】
【００３３】
本発明に係る書籍等の転倒防止スペーサは、書棚のブックエンドやスペーサとして利用できることは勿論、商品陳列を整然と維持できるので、各種棚の整理備品や陳列什器の備品として、広く利用できる。
単独で開いた状態として上方Ｖ字空間に展示品を載せたり、上方Ｖ字空間に書籍を開いて載せて書見台として利用することも出来る。
【図面の簡単な説明】
【００３４】
【図１】は、本発明に係る「書籍等の転倒防止スペーサ」の一実施例の使用状態を示すもので、書棚の本を支持している状態の正面図である。
【図２】は、本発明に係る「書籍等の転倒防止スペーサ」の閉じた状態の実施例を示す斜視図である。
【図３】は、実施例の支点の一部を拡大した一部断面を含む説明図である。
【図４】は、ブロック（４０）及びフレーム部品（４０ａ  ４０ｂ）を説明する斜視図である。
【図５】は、図４のフレーム部品の正面図である。
【図６】は、図４のフレーム部品の側面図である。
【図７】は、本発明に係る「書籍等の転倒防止スペーサ」の開いた状態の実施例を示す斜視図である。
【図８】は、本発明に係る「書籍等の転倒防止スペーサ」の閉じた状態の実施例を示す正面図である。
【図９】は、開閉作動の状態を示す説明図である。
【図１０】は、従来、本件出願人が開発した「スペーサ」の正面図である。
【符号の説明】
【００３５】
１      スペーサ本体
２      コの字枠
２２    略長方形の枠（フレーム部品にコの字枠を差し込んだ状態の枠）
３      支点
３１    ボルト
３１１  ナット（六角ナット）
３２    貫通孔
３３    弾性ワッシャ（孔付ゴム盤）
３４    円形凹部
３５    円筒部
３５１  キャップ
３６    軸受兼用支持突起
３７    軸受兼用支持突起
４      ブロック
４０    フレーム部品（ブロック４を両側に備えたもので構造上は４０＝４０a＝４０b）
４０ａ  フレーム部品（外側）
４０ｂ  フレーム部品（内側）
４１    X字状フレーム（フレーム部品４０a、４０bを交差組み合わせた状態）
４２    湾曲面
４３    湾曲面
４４    湾曲面
４５    湾曲面
４６    凸部
４７    凸部
５     滑り止め（合成樹脂管）
【図１】
2007319357.tif 000003
【図２】
2007319357.tif 000004
【図３】
2007319357.tif 000005
【図４】
2007319357.tif 000006
【図５】
2007319357.tif 000007
【図６】
2007319357.tif 000008
【図７】
2007319357.tif 000009
【図８】
2007319357.tif 000010
【図９】
2007319357.tif 000011
【図１０】
2007319357.tif 000012